(57)【特許請求の範囲】
【請求項１】
基台と、
前記基台上の四隅に立設された柱部と、
互いに向き合う前記柱部の上下方向の位置に略水平状に突設された棚部架設用連結部と、
該棚部架設用連結部上に載置可能であり、同棚部架設用連結部に取り付けられることで略水平に配置されると共に、その内部に間伐材を収納可能に構成された枠体棚部と、
前記柱部の外向きの上下方向の位置に略水平状に突設された連結支持部と、
該連結支持部上に載置可能であり、同連結支持部に取り付けられることで前記枠体棚部の周囲に配置されると共に、その内部に間伐材を収納可能に構成された枠体壁部とを備え、
前記枠体壁部は、第１の主枠体部と、該第１の主枠体部と略同じ大きさに形成された第１の副枠体部と、前記第１の主枠体部と前記第１の副枠体部の枠体内に設けられた補助枠体部と、同第１の主枠体部と同第１の副枠体部とを重ねた状態で同第１の主枠体部と同第１の副枠体部の補助枠体部同士を連結する第１の連結用金具とを有し、
前記枠体棚部は、第２の主枠体部と、該第２の主枠体部と略同じ大きさに形成された第２の副枠体部と、前記第２の主枠体部と前記第２の副枠体部の枠体内に設けられた補助枠体部と、同第２の主枠体部と同第２の副枠体部とを重ねた状態で同第２の主枠体部と同第２の副枠体部の補助枠体部同士を連結する第２の連結用金具とを有する
人工漁礁。
【請求項２】
前記基台は、
略正方形状の底板と、
前記底板の各辺に沿って立設されると共に、所定の開口領域が設けられた側壁部とを有する
請求項１に記載の人工漁礁。
【請求項３】
少なくとも前記枠体壁部、あるいは枠体棚部のいずれかに吊穴、あるいは吊金具が設けられた
請求項１または請求項２に記載の人工漁礁。
【請求項４】
前記枠体壁部の内部、及び前記枠体棚部の内部に、任意の位置に空隙を設けた状態で収納された間伐材を有する
請求項１、請求項２または請求項３に記載の人工漁礁。
【請求項５】
前記基台内に重量塊が配置された
請求項１、請求項２、請求項３または請求項４に記載の人工漁礁。
【発明の詳細な説明】
【技術分野】
【０００１】
本発明は、人工漁礁に関する。詳しくは、間伐材を取り替え可能とした人工漁礁に係るものである。
【背景技術】
【０００２】
従来から海洋での魚を蝟集させる目的で漁礁を作製して海底に設置する手段が知られている。例えば、漁礁の主材として間伐材を用いたものが知られている（例えば、特許文献１参照）。具体的には、特許文献１には、図８で示す様な魚礁１１０が開示されており、コンクリートの底盤１０１上に中空ボックス状の鋼製骨組が構成され、この鋼製骨組の内部に鋼材１０２、１０３、１０４により上段、中段、下段の棚部が形成されている。
【０００３】
更に、上段、中段、下段の棚部上に間伐材１０５を横置状として並置固定すると共に、鋼製骨組を構成する柱材１０６を隠蔽する部位に、複数本の間伐材１０５をＬ字状に立設した構成とされている。
【先行技術文献】
【特許文献】
【０００４】
【特許文献１】実用新案登録第３０９２９６１号公報
【発明の概要】
【発明が解決しようとする課題】
【０００５】
しかしながら、前記特許文献１に記載された漁礁では、鋼製の上段、中段、下段の棚部上に並置固定される間伐材は、その両側端が係止された状態であり、また、鋼製骨組を構成する柱材を隠蔽する部位に立設される間伐材はその下端のみが係止された構成である。
【０００６】
このように係止された間伐材では、波浪等で損壊してバラバラな状態となり、海上に浮き上がって船舶の航行に支障をきたす問題がある。
【０００７】
また、一部の間伐材を取替える場合では、鋼製骨組を海底より台船上のクレーン等により引き揚げて間伐材の取替えを行わなければならず、漁礁に棲息した魚介類を死滅させる問題がある。
【０００８】
本発明は、以上の点に鑑みて創案されたものであって、漁礁を海底に設置した状態で間伐材が収納される枠体棚部及び枠体壁部の取替えを実現可能とした人工漁礁を提供することを目的とするものである。
【課題を解決するための手段】
【０００９】
上記目的を達成するために、本発明に係る人工漁礁は、基台と、前記基台上に立設された柱部と、前記柱部と着脱自在であり、同柱部に取り付けられることで略水平に配置されると共に、その内部に間伐材を収納可能に構成された枠体棚部と、前記柱部と着脱自在であり、同柱部に取り付けられることで前記枠体棚部の周囲に配置されると共に、その内部に間伐材を収納可能に構成された枠体壁部とを備える。
【００１０】
ここで、基台上に立設された柱部と、柱部と着脱自在であり、柱部に取り付けられることで略水平に配置されると共に、その内部に間伐材を収納可能に構成された枠体棚部によって、枠体棚部内に間伐材を収納した状態で柱部に水平状に取り付けることが可能となる。
【００１１】
また、柱部と着脱自在であり、柱部に取り付けられることで枠体棚部の周囲に配置されると共に、その内部に間伐材を収納可能に構成された枠体壁部によって、水平状に取り付けられる枠体棚部を取り囲むように間伐材を収納した枠体壁部を柱部に取り付けることが可能となる。
【００１２】
また、基台は、略正方形状の底板と、底板の各辺に沿って立設されると共に、所定の開口領域が設けられた側壁部とした場合には、側壁部の開口領域を通して基台内に魚介類が通過可能となることで生育場所と隠れ家を形成することができることとなる。
【００１３】
また、枠体壁部は、第１の主枠体部と、第１の主枠体部と略同じ大きさに形成された第１の副枠体部と、第１の主枠体部と第１の副枠体部とを重ねた状態で連結する第１の連結用金具とを有する構成を採用した場合には、複数の間伐材を垂直状に第１の主枠体部と第１の副枠体部との間に間伐材の大きさに合わせ固定した状態で収納することができることとなる。
【００１４】
また、枠体棚部は、第２の主枠体部と、第２の主枠体部と略同じ大きさに形成された第２の副枠体部と、第２の主枠体部と第２の副枠体部とを重ねた状態で連結する第２の連結用金具とを有する構成を採用した場合には、複数の間伐材を水平状に第２の主枠体部と第２の副枠体部との間に間伐材の大きさに合わせ固定した状態で収納することができることとなる。
【００１５】
また、少なくとも前記枠体壁部、あるいは枠体棚部のいずれかに吊穴、あるいは吊金具が設けられた場合には、枠体棚部及び枠体壁部の組立て、あるいは取り外して海上への引き上げや海中での取り付けを効率良く行うことができることとなる。
【００１６】
また、枠体棚部及び前記枠体壁部の内部に収納された間伐材を有することで間伐材が海水に浸されることで徐々に腐蝕し、栄養分を海中に供給することができることとなる。
【００１７】
また、基台内に重量塊が配置された場合には、重量塊の総重量で安定した漁礁の設置が可能となると共に、基台の側壁部を通して重量塊での魚介類の生育場所と隠れ家を形成することができることとなる。
【発明の効果】
【００１８】
本発明の人工漁礁によれば、漁礁を海底に設置した状態で間伐材が収納される枠体棚部及び枠体壁部の取替えが可能となる。
【図面の簡単な説明】
【００１９】
【図１】本発明を適用した人工漁礁の一例を説明するための立体模式図である。
【図２】本発明を適用した人工漁礁の枠体壁部の一例を説明するための模式図である。
【図３】本発明を適用した人工漁礁の枠体壁部の組立て状態を説明するための模式図である。
【図４】本発明を適用した人工漁礁の枠体棚部の一例を説明するための模式図である。
【図５】本発明を適用した人工漁礁の枠体棚部の組立ての一例を説明するための模式図である。
【図６】本発明を適用した人工漁礁の組立て状態の一例を説明するための立体模式図である。
【図７】本発明を適用した人工漁礁の組立て状態の一例を説明するための立体模式図である。
【図８】従来の人工漁礁の一例を説明するめの立体模式図である。
【発明を実施するための形態】
【００２０】
以下、本発明の実施の形態を図面を参酌しながら説明し、本発明の理解に供する。
【００２１】
図１は本発明を適用した人工漁礁の一例を説明するめの立体模式図である。
【００２２】
ここで示す人工漁礁１は、基台２と、この基台２上の四隅に立設される鋼製の柱部３と、これらの柱部３間に配置される間伐材が収納可能な枠体壁部４と、この枠体壁部４により形成される隔壁空間内に複数段に配置される間伐材が収納可能な枠体棚部５とから構成される。
【００２３】
ここで、基台２は、一定高さを有する４個の側壁部７が略正方形状に組み合わせられて、その底面に網状の底板６が設けられている。この側壁部７は、鋼板で形成された枠体８によって側壁部７の各辺が組み立てられると共に、この枠体８の外側面に金網９が張設されることで魚介類が通過可能な構成とされている。
【００２４】
また、柱部３は、これらの柱部３、３に枠体壁部４を取り付けるための連結支持部１０が、上部、中部、下部の３箇所に互いに略直角状となるように２方向に突出する構成とされている。
【００２５】
この連結支持部１０は、柱部３の側面に対して上端が開口状となるように断面Ｌ字形状の鋼板が溶接等で取り付けられた構成とされている。
【００２６】
更に、柱部３の上下方向に沿って枠体棚部５を取り付けるための棚部架設用連結部１１が一定間隔ごとに連結支持部１０とは逆向きに突出するように設けられている。
【００２７】
図２（図２（イ）は本発明を適用した人工漁礁の枠体壁部を説明するための正面模式図を示し、図２（ロ）は本発明を適用した人工漁礁の枠体壁部を説明するための平面模式図を示し、図２（ハ）は本発明を適用した人工漁礁の枠体壁部を説明するための側面模式図を示す。）は本発明を適用した人工漁礁の枠体壁部の一例を説明するための模式図、図３は本発明を適用した人工漁礁の枠体壁部の組立て状態を説明するための立体模式図である。
【００２８】
ここで、枠体壁部４はアングル型鋼材で各柱部３間幅長さ及び柱部３高さと略同形に形成された第１の主枠体部１２と、この第１の主枠体部１２と同じ大きさに形成された第１の副枠体部１３と、この第１の主枠体部１２と第１の副枠体部１３とを重ねた状態で固定するための第１の連結用金具１５とから構成されている。
【００２９】
この第１の主枠体部１２の枠体内の上下方向には３本の補助枠体部１４が設けられると共に、第１の主枠体部１２の両側上部、中部、下部には柱部３の連結支持部１０に嵌め入れ可能とされる係留部２２が突設されている。
【００３０】
この係留部２２は、連結支持部１０内に嵌め入れ可能な形状に折り曲げ形成された鋼板が第１の主枠体部１２の側面に溶接等で取り付けられた構成とされている。
【００３１】
また、第１の副枠体部１３の枠体内の上下方向には第１の主枠体部１２と同じように３本の補助枠体部１４が設けられている。
【００３２】
また、第１の連結用金具１５は第１の主枠体部１２と第１の副枠体部１３とを重ね合わせた状態でこれらの補助枠体部１４同士をボルト、ナット等（図示せず。）との組み合わせにより締結固定する構成とされている。
【００３３】
また、第１の主枠体部１２の両側側面にはクレーン等のフックを挿し入れるための吊穴１８が配置されると共に、第１の主枠体部１２と第１の副枠体部１３のそれぞれの上下外表面にフック状の吊金具１９が突設されている。
【００３４】
図４（図４（イ）は本発明を適用した人工漁礁の枠体棚部を説明するための正面模式図を示し、図４（ロ）は本発明を適用した人工漁礁の枠体棚部を説明するための平面模式図を示し、図４（ハ）は本発明を適用した人工漁礁の枠体棚部を説明するための側面模式図を示す。）は本発明を適用した人工漁礁の枠体棚部の一例を説明するための模式図、図５は本発明を適用した人工漁礁の枠体棚部の組立ての一例を説明するための模式図である。
【００３５】
ここで、枠体棚部５は、アングル型鋼材で枠体壁部４により形成される隔壁空間の平面形状と略同形（略正方形）に形成された第２の主枠体部１２Ａと、この第２の主枠体部１２Ａと同じ大きさに形成された第２の副枠体部１３Ａと、この第２の主枠体部１２Ａと第２の副枠体部１３Ａとを重ねた状態で固定するための第２の連結用金具１５Ａとから構成されている。
【００３６】
この第２の主枠体部１２Ａの枠体内には３本の補助枠体部１４Ａが設けられると共に、第２の主枠体部１２Ａの各コーナーには柱部３の棚部架設用連結部１１と連結可能とされる係留板部２０が突設されている。
【００３７】
また、第２の副枠体部１３Ａの枠体内には第２の主枠体部１２Ａと同様に３本の補助枠体部１４Ａが設けられている。
【００３８】
また、第２の連結用金具１５Ａは第２の主枠体部１２と第２の副枠体部１３とを重ね合わせた状態でこれらの補助枠体部１４同士をボルト、ナット１６との組み合わせにより締結固定する構成とされている。
【００３９】
また、第２の主枠体部１２Ａの両側側面にはクレーン等のフックを挿し入れるための吊穴１８が配置されると共に、第２の主枠体部１２Ａと第２の副枠体部１３Ａのそれぞれの上下外表面にフック状の吊金具１９が突設されている。
【００４０】
以下、本発明を適用した人工漁礁の組立ての一例を詳述する。
図６は本発明を適用した人工漁礁の枠体棚部の組立て状態の一例を説明するための立体模式図、図７は本発明を適用した人工漁礁の枠体棚部及び枠体壁部の組立て状態の一例を説明するための立体模式図である。
【００４１】
本発明を適用した人工漁礁を組立てる場合には、先ず、各側壁部７を底板６の各辺に沿って立設し、ボルト、ナット（図示せず。）により連結固定することで基台２を組立てる。
【００４２】
次に、基台２内に重量塊として割石２４を詰め込んだ後に、基台２の各コーナー位置に柱部３を立設し、更に、基台２の上端開口端を金網枠体部２３で覆設する。
【００４３】
また、間伐材２５を第２の主枠体部１２Ａ内に略中央位置まで複数本並べ、第２の副枠体部１３Ａを第２の主枠体部１２Ａと重ね合わせて、第２の主枠体部１２Ａ内に並べた間伐材２５が移動しないように補助枠体部１４Ａ同士を第２の連結用金具１５Ａで連結固定する。
【００４４】
同様にして、第２の主枠体部１２Ａと第２の副枠体部１３Ａとの間に略半分の空隙Ｄが形成された枠体棚部５を４個組み立てる。
【００４５】
続いて、一段目の枠体棚部５を、第２の主枠体部１２Ａに設けられた吊金具１９にフックを係留させて小型クレーン等で吊り下げて柱部３間の基台２上に水平状にして吊り下げる。
【００４６】
更に、一段目の枠体棚部５のそれぞれの係留板部２０の高さを柱部３のそれぞれの一段目の棚部架設用連結部１１の高さに小型クレーン等で合せる。
【００４７】
そして、各々の係留板部２０と棚部架設用連結部１１とをボルト、ナット（図示せず。）によって連結固定することで棚部架設用連結部１１の架設を行う。
【００４８】
更に、同様にして２段目の枠体棚部５Ａを小型クレーン等で吊り下げて柱部３間の基台２上に水平状にして吊り下げる。
【００４９】
ここで、２段目の枠体棚部５Ａは１段目の枠体棚部５に対して９０度回転させた状態で各々の係留板部２０と棚部架設用連結部１１とをボルト、ナット（図示せず。）によって連結固定することで棚部架設用連結部１１の架設を行う。
【００５０】
これにより、１段目と２段目の枠体棚部５、５Ａの空隙Ｄが互いに９０度回転した状態に位置することとなる。
【００５１】
また、同様にして３段目の枠体棚部５Ｂを小型クレーン等で吊り下げて柱部３間の基台２上に平面状にして吊り下げる。
【００５２】
この３段目の枠体棚部５Ｂは２段目の枠体棚部５Ａに対して９０度回転させた状態で各々の係留板部２０と棚部架設用連結部１１とをボルト、ナット（図示せず。）によって連結固定することで棚部架設用連結部１１の架設を行う。
【００５３】
更に、同様に４段目の枠体棚部５Ｃを小型クレーン等で吊り下げて柱部３間の基台２上に平面状にして吊り下げる。
【００５４】
また、４段目の枠体棚部５Ｃは３段目の枠体棚部５Ｂに対して９０度回転させた状態で各々の係留板部２０と棚部架設用連結部１１とをボルト、ナット（図示せず。）によって連結固定することで棚部架設用連結部１１の架設を行う。
【００５５】
このようにして、１段目から４段目までの枠体棚部５、５Ａ、５Ｂ、５Ｃの取り付けを行うことで空隙Ｄが上下方向に９０度づつ回転した状態で形成されることとなる。
【００５６】
また、枠体壁部４は第１の主枠体部１２と第１の副枠体部１３との間に間伐材２５を複数本積み上げる。なお、間伐材２５との間に空隙Ｄを形成すべく、補助枠体部１４同士を第１の連結用金具１５Ａで連結固定すると共に固定ピン２１により間伐材２５を係止させる。
【００５７】
このようにして、第１の主枠体部１２と第１の副枠体部１３との間に収納された間伐材２５との間に複数の空隙Ｄが形成された枠体壁部４を４個組み立てる。
【００５８】
続いて、枠体壁部４を、第１の主枠体部１２に設けられる吊金具１９にフックを係留させて小型クレーン等で吊り下げて柱部３間に垂直状にして吊り下げる。
【００５９】
更に、枠体壁部４のそれぞれの係留部１５の高さを柱部３のそれぞれの連結支持部１０の高さに小型クレーン等で合せる。そして連結支持部１０内に枠体壁部４のそれぞれの係留部１５を嵌め入れることで柱部３間に枠体壁部４を取り付ける。
【００６０】
このようにして、４段上に架設される枠体棚部５、５Ａ、５Ｂ、５Ｃを取り囲むようにして柱部３間に４個の枠体壁部４を立設する。
【００６１】
なお、本実施例では基台が略正方形に形成されると共に、その側壁に金網が設けられた構成の場合について詳述するものであるが、基台は必ずしも正方形状ではなく、例えば、六角形、あるいは円形状のものであっても構わない。
【００６２】
また、側壁に金網を設けることで魚介類が基台内を自由に行き来することができ、魚介類の生育場所としての機能を果たすことが可能となるものであるが、必ずしも金網を設ける必要性はない。
【００６３】
例えば、金網に変えて格子状とすることもあり、魚介類が基台内を自由に行き来することができ、かつクレーン等で海上に引き揚げる際に海水が排出される構造であることが好ましい。
【００６４】
また、本実施例では重量塊として割石を基台内に詰め込むものであるが、必ずしも砕石を用いる必要性はない。
【００６５】
例えば、コンクリートブロックのように漁礁を海底に沈める重量を有し、かつ魚介類の生育場所や隠れ家としての機能を果たすことできるものであればいかなるものであって構わない。
【００６６】
また、本実施例では枠体壁部の第１の枠体棚部と第１の副枠体部、あるいは枠体棚部の第２の主枠体部と第２の副枠体部との間に間伐材を収納した状態で連結用金具によって固定する構造とするものであるが、必ずしもこのような構造とする必要性はない。
【００６７】
例えば、壁部、あるいは棚部を形成する箱状の枠体内に間伐材を収納する構造とすることも考えられるものであるが、壁部、あるいは棚部の着脱ができ、かつ間伐材の取替えが容易に行える構造とすることが好ましい。
【００６８】
また、本実施例では枠体棚部及び枠体壁部に、クレーン吊下げ用としての吊穴、あるいは吊金具が設けられる構造とするものであるが、必ずしも吊穴、あるいは吊金具を設ける必要性はない。
【００６９】
例えば、枠体棚部、あるいは枠体壁部にワイヤー等を通してクレーンで吊り下げることも考えられるものであるが、作業の効率化及び安全性を考慮した場合に吊穴、あるいは吊金具を設けることが好ましい。
【００７０】
以上の構成よりなる本発明の人工漁礁では、陸上で枠体壁部及び枠体棚部等が組立てられた後に、大型クレーン等によって海底に沈める。
【００７１】
本発明の人工漁礁では、基台２内に詰め込まれた割石２４によって基台２が型崩れすることがなく、また割石２４の重量で海底に安定した状態での設置が可能となる。
【００７２】
また、間伐材２５が枠体壁部４及び枠体棚部５内に収納されていることで間伐材２５が腐蝕した場合でも漁礁自体が崩れることがない。更に、枠体壁部４及び枠体棚部５は間伐材を収納した状態で海中に沈むことでクレーン等により枠体壁部４及び枠体棚部５を取り替えることが可能となる。これにより、人工漁礁を取り替えることなくパーツごとの取り替えを行うことで永続的な人工漁礁の設置が可能となる。
【００７３】
このようにして海底に設置された基台２上の枠体壁部４及び枠体棚部５内に収納される間伐材２５は、海水に浸されることで徐々に腐蝕し、栄養分を海中に供給することができる。
【００７４】
また、間伐材が長期に亘って徐々に腐蝕しながら、舟食虫等の虫の餌となり、又チッソ、リン等の栄養分を海中に供給することでプランクトンが大量に発生し、プランクトン及び虫を食べるために小型の魚介類が蝟集する。更に、この小型の魚介類を食べる大型の魚介類も蝟集する。
【００７５】
また、枠体壁部４及び枠体棚部５に並置収納された間伐材２５との間に空隙Ｄが形成されることで魚介類の生育場所と隠れ家としての機能を果たすことが可能となる。
【００７６】
従って、単に魚介類の生育場所と隠れ家を形成するだけでなく、人工漁礁を引き上げることなく、間伐材の取替交換を可能とすることで、間伐材の腐蝕に伴って長期に亘って海中に舟食虫等の虫の餌と栄養分を供給することが可能となる。
【符号の説明】
【００７７】
１        人工漁礁
２        基台
３        柱部
４        枠体壁部
５        枠体棚部
６        底板
７        側壁部
８        枠体
９        金網
１０      連結支持部
１１      棚部架設用連結部
１２      第１の主枠体部
１２Ａ    第２の主枠体部
１３      第１の副枠体部
１３Ａ    第２の副枠体部
１４、１４Ａ  補助枠体部
１５      第１の連結用金具
１５Ａ    第２の連結用金具
１６      ボルト、ナット
１８      吊穴
１９      吊金具
２０      係留板部
２１      固定ピン
２２      係留部
２３      金網枠体部
２４      割石
２５      間伐材
【図１】
0005779388.tif 000002
【図２】
0005779388.tif 000003
【図３】
0005779388.tif 000004
【図４】
0005779388.tif 000005
【図５】
0005779388.tif 000006
【図６】
0005779388.tif 000007
【図７】
0005779388.tif 000008
【図８】
0005779388.tif 000009